(57)【要約】【課題】複数の異なる受信モードを有し、受信モードに応じた時刻修正を行う場合に、受信モードで得られる時刻情報に関する表示を行うことができる電波修正時計を提供する。【解決手段】内部時計１４０１と、内部時計１４０１が計時する時刻情報に応じた時刻表示を行う時刻表示手段としての指針や駆動モータや表示部１９と、時刻情報を含む電波を受信する電波受信系１１と、複数の異なる受信モードを有し、当該受信モードに応じて電波受信系１１が受信する電波に含まれる時刻情報を基に、内部時計１４０１による時刻情報を修正する制御回路１４と、制御回路１４による受信モードで得られる時刻情報に関する表示を行う表示部１９とを設けたので、受信モードで得られる時刻情報に関する表示を行うことができる。【選択図】図１
2006038580.tif 000002
【特許請求の範囲】
【請求項１】
内部時計と、
前記内部時計が計時する時刻情報に応じた時刻表示を行う時刻表示手段と、
時刻情報を含む電波を受信する電波受信手段と、
複数の異なる受信モードを有し、当該受信モードに応じて前記電波受信手段が受信する電波に含まれる時刻情報を基に、前記内部時計による時刻情報を修正する制御手段と、
前記制御手段による受信モードで得られる時刻情報に関する表示を行う受信モード表示手段と
を有する電波修正時計。
【請求項２】
前記電波受信手段による受信情報は、複数の時刻情報を含み、
前記制御手段は、前記受信モードに対応して時刻情報を選択し、当該選択した時刻情報を前記受信モード表示手段に表示する
請求項１に記載の電波修正時計。
【請求項３】
前記受信モードは、秒同期受信モードを含み、
前記制御手段は、前記秒同期受信モード時には、秒情報のみを受信している旨を前記受信モード表示手段に表示する
請求項１または請求項２に記載の電波修正時計。
【請求項４】
前記受信モードは、フルコード受信モードを含み、
前記制御手段は、前記フルコード受信モード時には、秒情報、分情報、時情報、曜日情報、日情報、月情報、年情報、サマータイム情報、うるう秒情報のいずれかの時刻情報を受信している旨を前記受信モード表示手段に表示する
請求項１から請求項３のいずれかに記載の電波修正時計。
【請求項５】
前記電波受信手段は、正時に時報情報を含む放送電波を受信する放送受信手段を含み、
前記受信モードは、放送受信モードを含み、
前記制御手段は、前記放送受信モードの場合には、前記放送受信手段が受信する時報情報を基に、前記内部時計による時刻情報を修正し、秒情報のみを受信している旨を前記受信モード表示手段に表示する
請求項１から請求項４のいずれかに記載の電波修正時計。
【請求項６】
前記制御手段は、前記電波受信手段による受信状態に応じた受信モードで前記内部時計の時刻修正を行う
請求項１から請求項５のいずれかに記載の電波修正時計。
【発明の詳細な説明】
【技術分野】
【０００１】
本発明は、例えば、時刻情報を含む電波を受信して時刻修正を行う電波修正時計に関する。
【背景技術】
【０００２】
時刻情報を含む電波を受信して時刻修正を行う電波修正時計が知られている（例えば、特許文献１参照）。
また、電波の受信の可否が環境のノイズの量と大きさに依存するため、複数の受信モードにより受信性能を向上させる電波修正時計も知られている。
上述の電波修正時計は、例えば時刻情報を得るため複数のメディア、例えば標準時刻情報を含む標準電波や、時報情報を含むラジオ放送波等のメディアから時刻情報を得たり、受信した標準電波から取り込む時刻情報の情報量を選択的に変化させて受信成功率を向上させる。
【特許文献１】特許２５４５６６２号公報
【発明の開示】
【発明が解決しようとする課題】
【０００３】
ところで、上述した受信モードによって取り込む情報量には差がある。つまり受信内容が異なる。
例えばラジオ放送受信モードの場合には、時報情報を含むラジオ放送を受信して、秒情報および分情報のみに基づいて時刻修正を行う。
フルコード受信モードの場合には、時刻情報を含む標準電波を受信して、時分秒情報や年月日情報、サマータイム情報、うるう秒情報等を含むフルコードを取り込み、それらの時刻情報に基づいて時刻修正を行う。
【０００４】
しかし、上述した一般的な時計では、受信モードで得られる時刻情報に関する表示、例えば上述した受信内容を表示していないので、ユーザは現在の受信モードで得られている受信内容がわからない。
このため、受信モードで得られる時刻情報に関する表示を行うことができる電波修正時計が望まれている。
【０００５】
本発明は、かかる事情に鑑みてなされたものであり、その目的は、複数の異なる受信モードを有し、受信モードに応じた時刻修正を行う場合に、受信モードで得られる時刻情報に関する表示を行うことができる電波修正時計を提供することにある。
【課題を解決するための手段】
【０００６】
前記目的を達成するために、本発明の電波修正時計は、内部時計と、前記内部時計が計時する時刻情報に応じた時刻表示を行う時刻表示手段と、時刻情報を含む電波を受信する電波受信手段と、複数の異なる受信モードを有し、当該受信モードに応じて前記電波受信手段が受信する電波に含まれる時刻情報を基に、前記内部時計による時刻情報を修正する制御手段と、前記制御手段による受信モードで得られる時刻情報に関する表示を行う受信モード表示手段とを有する。
【０００７】
好適には、電波受信手段による受信情報は、複数の時刻情報を含み、前記制御手段は、前記受信モードに対応して時刻情報を選択し、当該選択した時刻情報を前記受信モード表示手段に表示する。
【０００８】
さらに、好適には、前記制御手段は、秒同期受信モード時には、秒情報のみを受信している旨を前記受信モード表示手段に表示する。
【０００９】
さらに、前記制御手段は、フルコード受信モード時には、秒情報、分情報、時情報、曜日情報、日情報、月情報、年情報、サマータイム情報、うるう秒情報のいずれかの時刻情報を受信している旨を前記受信モード表示手段に表示する。
【００１０】
さらに、前記電波受信手段は、正時に時報情報を含む放送電波を受信する放送受信手段を含み、前記制御手段は、放送受信モードの場合には、前記放送受信手段が受信する時報情報を基に、前記内部時計による時刻情報を修正し、秒情報のみを受信している旨を前記受信モード表示手段に表示する。
【００１１】
さらに、前記制御手段は、前記電波受信手段による受信状態に応じた受信モードで前記内部時計の時刻修正を行う。
【発明の効果】
【００１２】
本発明によれば、複数の異なる受信モードを有し、受信モードに応じた時刻修正を行う場合に、受信モードで得られる時刻情報に関する表示を行うことができる電波修正時計を提供する。
【発明を実施するための最良の形態】
【００１３】
本発明に係る電波修正時計は、複数の異なる受信モードを有し、当該受信モードに応じて電波受信部が受信する電波に含まれる時刻情報を基に、内部時計による時刻情報を修正し、その受信モードで得られる時刻情報に関する表示を行う。
【００１４】
本実施形態に係る電波修正時計は、複数の受信メディア、受信モードとして、例えば時刻情報を含む標準電波からフルコード受信を行い時刻修正を行うフルコード受信モードと、その標準電波に基づいて秒同期により時刻修正を行う秒同期受信モードと、例えば正時に時報情報を含む放送波を受信して、その時報情報に基づいて時刻修正を行う放送受信モードとを有する。
【００１５】
以下、図面を参照しながら、本発明の一実施形態に係る電波修正時計を説明する。
【００１６】
図１は本発明に係る電波修正時計の一実施形態に係る電気的な機能ブロック図である。図２は、図１に示した電波修正時計の正面図である。図３は図１に示した電波修正時計の構成図である。図４は図２に示した電波修正時計の断面図である。
【００１７】
本実施形態に係る電波修正時計１は、例えば図１〜図４に示すように、電波受信系１１、スイッチ群１２、発振回路１３、制御回路１４、ドライブ回路１５、発光素子１６、バッファ回路１７、ドライブ回路１８、表示部１９、時計本体１００、第１のモータ（秒針用モータ）１２１、第２のモータ（時分針用モータ）１３１、光検出センサ部１４０、手動修正系１５０、トランジスタＱ１〜Ｑ５、および抵抗素子Ｒ１〜Ｒ１０、キャパシタＣ１３１，Ｃ１３２、発光素子Ｄ１〜Ｄ３、文字盤２０１、秒針２０２、分針２０３、および時針２０４有する。
【００１８】
電波受信系１１は本発明に係る電波受信手段の一例に相当する。
表示部１９や、文字盤２０１、秒針２０２、分針２０３、時針２０４、秒針用モータ１２１、時分針用モータ１３１は、本発明に係る時刻表示手段の一例に相当する。
【００１９】
制御回路１４は本発明に係る制御手段の一例に相当する。表示部１９や発光素子Ｄ１〜Ｄ３は、本発明に係る受信モード表示手段の一例に相当する。
【００２０】
電波受信系１１は、例えば時刻情報を含む電波を受信して、時刻情報を制御回路１４に出力する。
本実施形態では電波受信系１１は、長波受信回路１１Ｌ、および放送受信回路１１Ｒを有する。
【００２１】
長波受信回路１１Ｌは、例えば不図示の標準電波送信所から送信された標準時刻情報（時刻コードとも言う）を含む標準電波（標準時刻電波信号とも言う）を受信して信号Ｓ１１Ｌとして制御回路１４に出力する。
【００２２】
長波受信回路１１Ｌは、例えばアンテナＡＮＴ１を介して入力された標準時刻電波信号を信号Ｓ１１Ｌとして制御回路１４に出力する。詳細には長波受信回路１１Ｌは、例えば不図示のＲＦアンプ、検波回路、波形整形回路を有し、増幅処理、検波処理等を行い、処理結果の標準時刻信号を信号Ｓ１１Ｌとして出力する。制御回路１４は信号Ｓ１１Ｌを基に内部時計１４０１や表示時刻の修正を行う。
【００２３】
また、例えば長波受信回路１１Ｌは、制御回路１４から出力された、標準時刻電波信号の受信オン状態または受信オフ状態を制御させる制御信号ＣＴＬ１１Ｌに基づいて、標準時刻電波信号の受信オン状態または受信オフ状態を制御する。
【００２４】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準時刻電波信号は、例えば、少なくとも標準時刻の秒毎にパルスのレベルが切り換わるように変調されている。また、標準時刻電波信号は、標準時刻のうち分情報、時情報、日情報、うるう秒情報、またはサマータイム情報のいずれかに応じて規定された信号を基に変調されている。
【００２５】
詳細には、電波受信系１１で受信される標準電波は、図５（ａ）に示すような形態で送られてくる。
【００２６】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
詳細には、標準時刻電波信号は、標準時刻の秒毎に、パルスの信号レベルが最小値１０％から最大値１００％に立ち上がるように振幅変調されている。より詳細には、標準時刻電波信号は、最小値１０％と最大値１００％の中間値５５％が、標準時刻の秒に同期するように振幅変調されている。
制御回路１４は、長波受信回路１１Ｌが受信した標準時刻電波信号から、上述したパルスの信号レベルの切り換わり点、詳細にはパルスのレベルの立ち上がり、詳細には１０％から１００％の中間値を切り換わり点として検出し、当該検出した結果に基づいて内部時計１４０１が計時する時刻情報のうち秒情報を修正する。
【００２７】
そして、受信状態が良好な場合には、標準電波受信系１１からは図５（ｂ）に示すように、標準電波信号に応じたパルス信号として信号Ｓ１１Ｌが、制御回路１４に出力される。
【００２８】
この信号Ｓ１１Ｌは、例えば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００２９】
次に、長波標準電波の送信データについて説明する。
図６は、標準時刻電波信号の時刻コードの一例を示している。毎時１５，４５分以外のフォーマットの一例を示す図である。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００３０】
また、標準時刻電波信号は、例えば毎時１５，４５分以外では図６に示すように、１フレーム中０秒目から５３秒目の間の第１の期間ＴＬ１には、分情報、時情報、積算日情報、年情報、曜日情報等の時刻情報を含む。それ以外の５４秒目から５９秒目の間の第２の期間ＴＬ２には、時刻情報ではない非時刻情報を含んでいる。
また、標準時刻電波信号は、例えば毎時１５，４５分では不図示の１フレーム中０秒目から３４秒目の間の第１の期間ＴＬ１には、分情報、時情報、積算日情報等の時刻情報を含む。それ以外の３５秒目から５９秒目の間の第２の期間ＴＬ２には、時刻情報でない非時刻情報を含んでいる。非時刻情報は例えば呼び出し符号情報や停波情報、その他、時刻情報と関係のない情報である。
【００３１】
放送受信回路１１Ｒは、例えば正時に時報情報を含む放送電波をアンテナＡＮＴ２を介して受信し、その時報情報を制御回路１４に出力する。
制御回路１４は、放送受信モードの場合には、放送受信回路１１Ｒが受信する時報情報を基に、内部時計による時刻情報を修正し、秒情報のみを受信している旨を表示部１９に表示する。
【００３２】
放送受信回路１１Ｒは、例えば正時や正時近傍に時報情報を含むＡＭラジオ放送波やＦＭラジオ放送波やテレビ放送波等を受信し、時報情報を抽出して制御回路１４に出力する。
また、例えば法送受信回路１１Ｒは、制御回路１４から出力された、放送電波の受信オン状態または受信オフ状態を制御させる制御信号ＣＴＬ１１Ｒに基づいて、放送電波の受信オン状態または受信オフ状態を制御する。
【００３３】
スイッチ群１２は、例えば図１に示すように、時刻修正スイッチＳＷ１２１、および受信モード選択スイッチＳＷ１２２を有する。
時刻修正スイッチＳＷ１２１は、例えば強制的に時刻修正を行う際に操作され、操作に応じて信号Ｓ１２１を制御回路１４に出力する。制御回路１４は、時刻修正スイッチＳＷ１２１から信号Ｓ１２１が入力されると、後述するように電波受信系１１で受信した時刻信号に基づいて、内部時計による時刻情報を修正して表示時刻を修正する。
【００３４】
受信モード選択スイッチＳＷ１２２は、例えば受信モードを選択する際に操作され、操作に応じて信号Ｓ１２２を制御回路１４に出力する。制御回路１４は、信号Ｓ１２２に基づいて複数の異なる受信モードの内からいずれかの受信モードを設定し、その受信モードに応じた時刻情報を受信して時刻修正処理を行う。
【００３５】
例えば図２に示すように、時計正面部には文字盤２０１が設けられ、指針である秒針２０２、分針２０３、時針２０４による指針位置により時刻表示を行う。
また、時計正面部には、制御回路１４による受信モードで得られる時刻情報に関する表示や現時刻表示を行う表示部１９が設けられている。
【００３６】
表示部１９は、例えば内部時計１４０１による年情報、月情報、日情報を示す年月日表示部１９１や、曜日情報、時情報、分情報、秒情報を表示する表示部１９２や、受信モード表示部１９３を有する。
【００３７】
受信モード表示部１９３は、制御回路１４による受信モードで得られる時刻情報に関する表示を行う。
例えば制御回路１４は、フルコード受信モードの場合には、例えば受信ソースであるＪＪＹを示す画像、およびフルコード受信により得られる受信内容である、時刻情報、カレンダー情報、サマータイム情報、うるう秒情報等を、受信モード表示部１９３に表示する。
【００３８】
また、制御回路１４は、放送受信モードの場合には、例えば受信ソースであるＡＭラジオ放送を示す画像、およびラジオ放送受信により得られる受信内容である、時報情報や時刻情報、うるう秒情報等を受信モード表示部１９３に表示する。
【００３９】
また、制御回路１４は、秒同期受信モード時には、秒同期受信モードを示す画像ＳＥＣ、秒情報のみを受信している旨を示す画像、例えば時刻情報、秒のタイミングのみ等を受信モード表示部１９３に表示する。
【００４０】
表示部１９は、例えば液晶表示装置（ＬＣＤ：Liquid Crystal Display）や有機ＥＬ（Electroluminescence）装置等により構成される。
【００４１】
また、時計正面部には、受信モードを示す複数の発光素子が設けられている。本実施形態では時計正面部の表示部１９の近傍に、表示部１９３の各受信モードに対応して発光素子Ｄ１〜Ｄ３が設けられている。
【００４２】
制御回路１４は、例えばフルコード受信モードの場合には発光素子Ｄ１を発光させ、放送受信モードの場合には発光素子Ｄ２を発光させ、秒同期モードの場合には発光素子Ｄ３を発光させる。
【００４３】
詳細には、制御回路１４は、例えばフルコード受信モードの場合にはドライブ信号ＤＲ５を出力し、例えば放送受信モードの場合にはドライブ信号ＤＲ７を出力し、秒同期モードの場合にはドライブ信号ＤＲ９を出力して、受信モードに対応する発光素子を発光させる。
【００４４】
発振回路１３は、例えば水晶発振器ＣＲＹおよびキャパシタＣ１３１，Ｃ１３２により構成され、所定周波数の基本クロックを示す信号Ｓ１３を制御回路１４に供給する。
【００４５】
制御回路１４は、例えば内部時計１４０１、およびメモリ１４０２を有する。
内部時計１４０１は、本発明に係る内部時計の一例に相当する。
【００４６】
内部時計１４０１は、例えば、発振回路１３による発振信号Ｓ１３に基づいて時刻情報を計時する。詳細には、内部時計１４０１は、例えば年情報カウンタ、月情報カウンタ、日情報カウンタ、曜日情報カウンタ、時情報を計時する時カウンタ、分情報を計時する分カウンタ、および秒情報を計時する秒カウンタ等を含む。
【００４７】
メモリ１４０２は、例えば、制御回路１４のワークスペースとして用いられる。例えば、メモリ１４０２はＲＡＭ（Random Access Memory）やＲＯＭ（Read Only Memory）等で構成される。また、例えばメモリ１４０２は、本発明に係る処理手順を含むプログラムを有し、制御回路１４は、プログラムを実行することにより本発明に係る処理手順を実現する。
【００４８】
制御回路１４は、複数の異なる受信モードを有し、その受信モードに応じて電波受信系１１が受信する電波に含まれる時刻情報を基に、内部時計１４０１による時刻情報を修正し、その受信モードで得られる時刻情報に関する表示を表示部１９に表示する。
【００４９】
詳細には、電波受信系１１による受信情報は、複数の時刻情報、例えば上述したように、秒情報、分情報、時情報、曜日情報、日情報、月情報、年情報、サマータイム情報、うるう秒情報等を含む。
制御回路１４は、受信モードに対応して上述した時刻情報を選択し、当該選択した時刻情報を表示部１９に表示する。
【００５０】
〔秒同期受信モード〕
制御回路１４は、秒同期受信モード時には、秒情報のみを受信している旨を表示部１９に表示する。
また、制御回路１４は、秒同期受信モード時には、例えば長波受信回路１１Ｌが受信した標準時刻電波信号のパルスのレベルの切り換わり点を検出し、当該検出した結果に基づいて内部時計１４０１が計時する時刻情報のうち秒情報を修正する。
【００５１】
詳細には、制御回路１４は、予め設定した時間に、長波受信回路１１Ｌが受信した標準時刻電波信号から検出したパルスのレベルの切り換わり点と、内部時計１４０１が計時する秒情報との誤差を演算する。
そして、制御回路１４は、その誤差の平均値がゼロとなるように、内部時計１４０１が計時する秒情報を修正する。また、制御回路１４は、その誤差の平均値が予め設定された値、例えば誤差が０．１秒以内となるように、内部時計１４０１が計時する秒情報を修正してもよい。
【００５２】
また、制御回路１４は、秒情報受信モード時には、検出したパルスのレベルの切り換わり点に基づいて内部時計１４０１が計時する秒情報を修正する。
【００５３】
〔フルコード受信モード〕
制御回路１４は、例えばフルコード受信モード時には、秒情報、分情報、時情報、曜日情報、日情報、月情報、年情報、サマータイム情報、うるう秒情報のいずれかの時刻情報を受信している旨を表示部１９に表示する。
【００５４】
また、制御回路１４は、フルコード受信モード時には、長波受信回路１１Ｌが受信した標準時刻電波信号のうち、年情報、月情報、日情報、曜日情報、時情報、分情報、秒情報、サマータイム情報、うるう秒情報のいずれかに基づいて、内部時計１４０１が計時する時刻情報を修正する。
【００５５】
〔放送受信モード〕
制御回路１４は、放送受信モードの場合には、例えば秒情報のみを受信している旨を表示部１９に表示し、放送受信回路１１Ｒが受信する時報情報を基に、内部時計１４０１による時刻情報を修正する。
【００５６】
この時報情報は、例えば毎正時や正時前の５９分５７秒、５９分５８秒、５９分５９秒、および００分００秒に放送される、単一周波数の信号である。制御回路１４は、放送受信モードの場合には、この時報信号を基に内部時計１４０１による時刻情報を修正する。
【００５７】
〔受信モードの設定〕
また、制御回路１４は、電波受信系１１による受信状態に応じた受信モードで内部時計１４０１の時刻修正を行う。
制御回路１４は、例えば長波受信回路１１ＬＩや放送受信回路１１Ｒのうち受信状態が良好な方を選択し、選択した受信回路に応じた受信モードで内部時計１４０１の時刻修正を行う。
また、制御回路１４は、受信モード選択スイッチＳＷ１２２からの入力信号を基に、複数の異なる受信モードのうちいずれかの受信モードを設定してもよい。
【００５８】
例えば、制御回路１４は、通常時には、秒情報受信モードにより秒情報を修正し、予め設定された受信条件、例えば誤差の平均値の偏差が予め設定された値よりも大きい場合や、フルコード受信モードにより時刻情報を修正した時から予め設定された時間経過した場合には、フルコード受信モードにより、内部時計１４０１が計時する時刻情報を修正する。
【００５９】
また、制御回路１４は、内部時計１４０１が計時する時刻情報を修正した場合には、時刻表示手段として例えば、秒針用モータ１２１や時分針用モータ１３１、輪列、および指針により表示された時刻や、液晶表示装置等による時刻表示装置による表示時刻を修正する。また、時刻修正時には、表示部１９に表示している現時刻を修正する。
【００６０】
また、制御回路１４は、例えば通常時には、内部時計１４０１による時刻情報に基づいて、秒針を第１の距離単位毎に回転移動させる駆動パルス信号ＣＴＬ１を秒針用モータ１２１に出力し、時針および分針を第２の距離単位毎に回転移動させる駆動パルス信号ＣＴＬ２を時分針用モータ１３１に出力して、指針である時針、分針、秒針により現時刻表示を行わせる。
【００６１】
また、制御回路１４は、内部時計１４０１が計時する標準時刻情報（時刻情報ともいう）に基づいて、予め設定された時刻（設定時刻）に時刻修正動作を行う。
【００６２】
また、制御回路１４は、標準時刻電波信号の受信状態が良好であると判別した場合には、アンテナＡＮＴを介して長波受信回路１１Ｌが受信した標準時刻電波信号を基に、内部時計１４０１が計時する時刻情報を修正し、内部時計１４０１が計時する時刻情報を基に、秒針駆動系１２０および時分針駆動系１３０を駆動して、指針による表示時刻を修正する。
【００６３】
以下、より詳細に制御回路１４の時刻修正に係る機能を説明する。
制御回路１４は、例えば初期状態、および時刻修正スイッチＳＷ１２１が操作された場合には、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００６４】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００６５】
制御回路１４は、所定の時間、例えば本実施形態では８秒間の標準時刻電波信号のサンプリング（例えば３２Ｈｚ）を行い、そのサンプリングの結果に基づいて受信状態を判定する。詳細には、制御回路１４は、例えば長波受信回路１１Ｌから入力される信号Ｓ１１Ｌのサンプリング（例えば３２Ｈｚ）を行い、エッジｅｄを検出し、そのエッジｅｄの有無や数に基づいて受信状態を判定する。
【００６６】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００６７】
制御回路１４は、受信状態が基準範囲にない場合には、ドライブ信号ＤＲ１をドライブ回路１５に出力して、発光素子１６を発光させてユーザに標準電波信号がほとんど受信できない旨を報知させる。
【００６８】
また、制御回路１４は、標準電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００６９】
次に、電波修正時計のムーブメントおよび指針位置検出系の具体的な構成について、図３，４、図７〜図１５に関連付けて説明する。
【００７０】
時計本体１００は、図３，４に示すように、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００７１】
第１駆動系１２０は、図３に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用モータ１２１と、ロータ１２１ｃのピニオン１２１ｄに大径歯車１２２ａが噛合した第１伝達歯車（第１検出用歯車）としての第１の５番車１２２と、この第１の５番車１２２の小径歯車１２２ｂに噛合した第２検出用歯車（第１指針車）としての秒針車１２３とにより構成されている。
ここで、秒針用モータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００７２】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用モータ１２１のロータ１２１ｃ（ピニオン１２１ｄ）と噛合して、ロータ１２１ｃの回転速度を所定速度に減速させる。この第１の５番車１２２には、図７，９に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００７３】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図７，１０に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００７４】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００７５】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００７６】
秒針車１２３においては、図１０に示すように、複数（１１個）の透孔１２３ｃを設ける代わりに、図１１に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００７７】
第２駆動系１３０は、図３，４、および図８に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用モータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用モータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００７８】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用モータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００７９】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１２に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００８０】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００８１】
また、分針車１３４には、図１３に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００８２】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００８３】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００８４】
また、時針車１３６には、図１４に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００８５】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００８６】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００８７】
光検出センサ１４０は、図４に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からローレベルのドライブ信号ＤＲ２が出力されたとき発光するようにドライブ回路１８に接続されている。
【００８８】
また、図４に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００８９】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００９０】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００９１】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【００９２】
手動修正系１５０は、図３および図４に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００９３】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００９４】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００９５】
分針車１３４の分針パイプ１３４ｐの先端部および時針車１３６の時針パイプ１３６ｐの先端部には、図１５に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００９６】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００９７】
図１６は、図１に示した電波修正時計の動作を説明するためのフローチャートである。図１６を参照しながら、電波修正時計の動作を制御回路１４の動作を中心に説明する。
【００９８】
ステップＳＴ１において、制御回路１４は、初期設定、例えば内部変数等の初期設定を行う。
ステップＳＴ２において、制御回路１４は、通常モードであるか時刻修正モードであるか否かを判別する。例えば、制御回路１４は、後述するように予め設定された修正時刻以外の時や、時刻修正スイッチＳＷ１２１が操作されていないときには、通常モードであると判別する。
【００９９】
通常モード時には、内部時計１４０１は、発振回路１３による信号Ｓ１３に基づいて計時を行う。
制御回路１４は、表示部１９に通常モードである旨を表示する（ＳＴ３）。例えば時刻修正モードを示す表示を抑止することで通常モードである旨を報知してもよい。
【０１００】
また、通常モード時には、制御回路１４は、内部時計１４０１の計時による時刻情報に基づいて、秒針用モータ１２１および時分針用モータ１３１に通常運針時の駆動パルス信号ＣＴＬ１およびＣＴＬ２を出力し輪列を駆動して、指針に現時刻を表示させ（ＳＴ４）、表示部１９に内部時計１４０１による時刻情報に応じた現時刻表示を行う。ステップＳＴ２の処理に戻る。
【０１０１】
一方、ステップＳＴ２において、制御回路１４は、通常運針でないと判別した場合、強制受信か否かを判別し、例えば、時刻修正スイッチＳＷ１２１が操作された場合には（ＳＴ５）、ステップＳＴ１５〜ＳＴ１８のフルコード受信モードに遷移する。
【０１０２】
一方、ステップＳＴ５の判別において、強制受信でないと判別した場合には、制御回路１４は、例えば上述したように、長波受信回路１１Ｌや放送受信回路１１Ｒのうち受信状態が良好な方を選択し、選択した受信回路に応じた受信ードを設定する。また、制御回路１４は、受信モード選択スイッチＳＷ１２２からの入力信号を基に受信モードを設定してもよい（ＳＴ６）。
【０１０３】
ステップＳＴ６において、例えば放送受信モードが設定された場合には、制御回路１４は、例えば図２に示すように発光素子Ｄ２を発光させて放送受信モードである旨を報知し、秒情報のみを受信している旨を表示部１９に表示する（ＳＴ７）。そして制御回路１４は、放送受信回路１１Ｒが受信する時報情報を基に、内部時計１４０１による時刻情報を修正する（ＳＴ８，９）。制御回路１４は、内部時計１４０１が計時する時刻情報に基づいて、表示部１９の表示時刻や指針による時刻表示を修正する。ステップＳＴ２の処理に戻る。
【０１０４】
ステップＳＴ１０において、例えば放送波よりも標準電波のほうが受信状態が良好の場合には、予め設定された受信条件を満たすか否か、例えば所定時間、詳細には１２時間以内にフルコード受信モードを行ったか否かが判別され、１２時間以内にフルコード受信モードを行ったと判別した場合には、ステップＳＴ１１〜ＳＴ１４の秒同期受信モードに関する処理を行う。１２時間以内にフルコード受信モードを行っていないと判別した場合には、ステップＳＴ１５〜ＳＴ１８のフルコード受信モードの処理を行う。
【０１０５】
ステップＳＴ１１において、制御回路１４は、例えば図２に示すように発光素子Ｄ３を発光して秒同期受信モードである旨を報知し、秒情報のみを受信している旨を表示部１９に表示する。
【０１０６】
ステップＳＴ１２において、制御回路１４は、秒同期受信処理を行う。以下、秒同期モード時の処理の一具体例を説明する。
詳細には、制御回路１４は、長波受信回路１１Ｌが受信した標準時刻電波信号から、１秒毎のパルスの立ち上がりまたは立ち下りを検出する。
制御回路１４は、予め設定した時間、例えば、誤差の平均値を求めるのに必要なサンプル数を得るまでの時間、詳細には、例えば３０秒程度の時間、長波受信回路１１Ｌが受信した標準時刻電波信号から検出した立ち上がりまたは立ち下りと、内部時計１４０１が計時する秒情報との誤差の平均値を演算する。
この予め設定した時間は、連続した３０秒程度であってもよいし、飛び飛びの不連続な３０秒程度であってもよい。平均値を算出できるようなサンプル数が得られればよい。
【０１０７】
制御回路１４は、その演算した誤差がゼロとなるように、内部時計１４０１が計時する時刻情報のうち秒情報を修正する。
【０１０８】
ステップＳＴ１３において、制御回路１４は、例えば上述した誤差の偏差が設定値以上になった場合には、例えば標準電波信号の立ち上がりエッジや立下りエッジの時間が揺らいでいる場合や、外的要因により内部時計１４０１が計時する秒情報が揺らいでいる場合には正確な秒修正を行うことができないと判断して、ステップＳＴ１５のフルコード受信モードに移行する。
【０１０９】
また、ステップＳＴ１３において、制御回路１４は、誤差の平均が所定値よりも大きい場合、例えば０．５秒以上の場合には、適切に秒修正を行うことができないので、同様にステップＳＴ１５の処理に進む。
【０１１０】
一方、ステップＳＴ１３において、制御回路１４は、その誤差の偏差が設定値よりも低い場合には、例えば指針の位置検出を行うことなく、秒針用モータ１２１に印加するパルス信号のタイミングを補正することにより、秒表示の修正を行い、表示部１９に表示する秒情報を修正し（ＳＴ１４）、ステップＳＴ２の処理に戻る。
【０１１１】
ステップＳＴ１５において、制御回路１４は、例えば図２に示すように、発光素子Ｄ１を発光させてフルコード受信である旨を報知し、表示部１９に、秒情報、分情報、時情報、曜日情報、日情報、月情報、年情報、サマータイム情報、うるう秒情報のいずれかの時刻情報を受信している旨を表示部１９に表示する。例えば、図２に示すように、”ＪＪＹ”、”時刻情報”、”カレンダー情報”、”サマータイム情報”、”うるう秒情報”等を表示部１９に表示する。
【０１１２】
ステップＳＴ１６において、制御回路１４は、フルコード受信モード時には、長波受信回路１１Ｌに、所定時間、標準時刻のうち分情報、時情報、日情報、またはうるう秒情報のいずれかに応じて規定された信号を基に変調された標準時刻電波信号を受信させる。
【０１１３】
ステップＳＴ１７において、制御回路１４は、長波受信回路１１Ｌが受信した標準時刻電波信号にパルス幅を基にデコード処理を施して、標準時刻電波信号のうち分情報、時情報、日情報、うるう秒情報、サマータイム情報、および定停波情報等に基づいて、内部時計１４０１が計時する時刻情報を修正する。
【０１１４】
ステップＳＴ１８において、詳細には制御回路１４は、秒情報受信モード時に処理していない情報、例えばフルコード受信モード時に受信した、うるう秒情報や、サマータイム情報等をチェックして、内部時計１４０１による時刻情報を修正し、指針や表示部１９による現時刻表示を修正し、ステップＳＴ２の処理に戻る。
【０１１５】
図１７は、図１に示した電波修正時計の指針位置検出処理の動作を示すフローチャートである。図１７を参照しながら、電波修正時計１の制御回路１４による表示時刻修正処理の一具体例、指針位置検出処理を説明する。
【０１１６】
制御回路１４は、指針駆動系を駆動して基準位置検出手段の検出処理に基づいて指針車の基準位置を検出した後、内部時計１４０１による時刻情報に基づいて指針車の指針位置を設定する。
【０１１７】
制御回路１４から時分用パルス信号出力パターンがセットされ（ＳＴ１０１）、ドライブ信号ＤＲ２がドライブ回路１８にローレベルで出力される。これにより、トランジスタＱ２がオンし、発光素子１４２、すなわち発光ダイオードから検出光が発せられる。
【０１１８】
続いて、制御回路１４から制御信号ＣＴＬ１が出力されて秒針用モータ１２１がパルス駆動され（ＳＴ１０２）、受光素子１４４すなわちフォトトランジスタがオンし、検出信号ＤＴ１がハイレベル（電源電圧Ｖccレベル）からローレベルに切り換わったか否かの判別が行われる（ＳＴ１０３）。
【０１１９】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からローレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からローレベルに切り換わらない場合には、時分針用モータ１３１が１ステップ（パルス）駆動され（ＳＴ１０７）、その後再び秒針用モータ１２１がステップ駆動され（ＳＴ１０２）て、秒針車１２３が回転駆動される。
【０１２０】
一方、ステップＳＴ１０３において、フォトトランジスタによる検出信号ＤＴ１がハイレベルからローレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【０１２１】
一方、得られた出力パターンと記憶された出力パターンとが適合した場合には、その時点（５ステップ目でもフォトトランジスタにより検出信号ＤＴ１のレベルがローレベルに切り換わらない場合において次にフォトトランジスタの出力がローレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【０１２２】
続いて、制御回路１４から制御信号ＣＴＬ２が出力されて時分針用モータ１３１のみが所定の出力周波数でパルス駆動されて分針車１３４が早送りされる（ＳＴ１１１）。
【０１２３】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【０１２４】
一方、ステップＳＴ１１２の比較の結果、得られた出力パターンと記憶された出力パターンとが適合した場合は、その時点で、制御信号ＣＴＬ２の出力が停止され、時分針用モータ１３１が停止されて、分針車１３４および時針車１３６の駆動が停止される（ＳＴ１１３）。
【０１２５】
ここで、出力パターンと予め記憶された出力パターンとの比較による時分針車の位置検出処理は、３種類のパターンのいずれかに合わせることにより行われる。
【０１２６】
図１８は、図１に示した電波修正時計の検出光の出力パターンを説明するための図である。
すなわち、分針車１３４によるフォトトランジスタの出力パターンは、図１８（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図１８（ｂ）に示すように、遮光部が作用するオフの幅が３種類のＤ部、Ｅ部、Ｃ部が所定間隔をおいて交互に現れるようなパターンとなり、両者を合成した出力パターンは、図１８（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図１８に示すパターンのうちオンとなるパターンの部分は、実際には３番車１３３の遮光部によりオフとなる部分があるので、歯抜け状のパターンとなっている。
【０１２７】
また、例えば分針車１３４および時針車１３６の基準位置として、図１８に示すように、１２時００分、４時００分、および８時００分の位置に設定されている。
【０１２８】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用モータ１３１を停止させることで、分針車１３４および時針車１３６すなわち分針および時針を所定の時刻に時刻修正することができる。
【０１２９】
そして、時分針用モータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【０１３０】
また、剣付けモードの際に、時分針車の原点検索処理が短くなるような出荷位置ＴＳ、本実施形態では１０時３０分に設定する場合を図１８を参照しながら説明する。
例えばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図１８に示したように、出荷位置ＴＳから秒針車および時分針車を駆動させて検出光を貫通させた後、時分針を止めて秒針原点検索を行う。その後時分針車を回転させて、光検出センサ部１４０でＣ部を検出することで、略１２時の位置であることを検出し、Ｂ部およびＡ部を検出した時点で停止させることにより、時分針が所定の基準位置１２時００分に設定される。
【０１３１】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【０１３２】
以上、説明したように、内部時計１４０１と、内部時計１４０１が計時する時刻情報に応じた時刻表示を行う時刻表示手段としての指針や駆動モータや表示部１９と、時刻情報を含む電波を受信する電波受信系１１と、複数の異なる受信モードを有し、当該受信モードに応じて電波受信系１１が受信する電波に含まれる時刻情報を基に、内部時計１４０１による時刻情報を修正する制御回路１４と、制御回路１４による受信モードで得られる時刻情報に関する表示を行う表示部１９とを設けたので、受信モードで得られる時刻情報に関する表示を行うことができる。
【０１３３】
また、受信モードで得られる時刻情報に関する表示を行うので、ユーザは時刻修正時に得られる受信内容や修正内容を知ることができ、ユーザに対する信頼性を向上することができる。
【０１３４】
また、制御回路１４は、秒同期受信モード時には、秒同期受信モードや秒情報のみを受信している旨を表示部１９に表示するので、ユーザに、秒同期受信モードで得られる受信内容が秒情報であることを報知することができる。
【０１３５】
また、制御回路１４は、フルコード受信モード時には、フルコード受信モードや、フルコード受信で得られる受信内容を示す表示、例えば時刻情報、カレンダー情報、サマータイム情報、うるう秒情報等を表示部１９に表示するので、ユーザにフルコード受信モード時に得られる受信内容を報知することができる。
【０１３６】
また、制御回路１４は、放送受信モードの場合には、放送受信回路１１Ｒが受信する時報情報を基に、内部時計１４０１による時刻情報を修正し、秒情報のみを受信している旨を表示部１９に表示するので、ユーザに、放送受信モード時に得られる受信内容を報知することができる。
【０１３７】
また、制御回路１４は、電波受信系１１による受信状態に応じた受信モード、例えば受信状態の良好な受信モードにより内部時計１４０１の時刻修正を行うので、より高精度に時刻修正を行うことができる。
【０１３８】
また、標準電波信号の標準時刻の秒毎のパルスのレベルの切り換わり点に基づいて、内部時計１４０１が計時する時刻情報のうちの秒情報を修正するので、フルコード受信モードにより時刻修正を行う場合と比べて消費電力が小さい。
【０１３９】
また、制御回路１４は、長波受信回路１１Ｌが受信した標準時刻電波信号から検出したパルスのレベルの切り換わり点、詳細には立ち上がりまたは立ち下りと、内部時計１４０１が計時する秒情報との誤差の平均値がゼロとなるように、内部時計１４０１が計時する秒情報を修正するので、比較的小さい揺らぎがあった場合であっても、高精度に秒修正を行うことができる。
【０１４０】
また、制御回路１４は、フルコード受信モード時を予め設定された受信条件、例えば誤差の平均値の偏差が設定値よりも大きい場合や、平均値が０．５秒よりも大きい場合や、フルコード受信モードにより時刻情報を修正した時から予め設定された時間経過した場合、例えば１２時間以上経過した場合には、フルコード受信モードにより内部時計１４０１の時刻情報を修正するので、秒情報モードのみにより修正する場合と比べて、精度が高く、かつ信頼性が高く時刻修正を行うことができる。
【０１４１】
なお、本発明は本実施形態に限られるものではなく、任意好適な種々の変更が可能である。
図１９は、本発明に係る電波修正時計の表示部１９の他の具体例を示す図である。
制御回路１４は、例えば図１９に示すように、表示部１９に、受信モードで得られる時刻情報に関する表示を行う。
【０１４２】
詳細には、制御回路１４は、フルコード受信モード時には、例えば図１９に示すように、フルコード受信モード時に得られる時刻情報を示す、年情報ＴＤ１、曜日情報ＴＤ２、日情報ＴＤ３、時情報ＴＤ４、分情報ＴＤ５、秒情報ＴＤ６、サマータイム情報ＴＤ７、およびうるう秒情報ＴＤ８を受信している旨を表示部１９に表示する。
【０１４３】
また、制御回路１４は、秒同期受信モード時には、例えば図１９に示すように、秒同期受信モード時に得られる時刻情報を示す、秒情報ＴＤ６を受信している旨を表示部１９に表示する。
【０１４４】
また、制御回路１４は、放送受信モードの場合には、例えば放送受信モード時に得られる時刻情報を示す、秒情報ＴＤ６のみを受信している旨を表示部１９に表示する。
【０１４５】
受信モードを示す表示は、上述した形態に限られるものではない。
図２０は、本発明に係る電波修正時計の他の具体例を説明するための図である。
例えば複数色のＬＥＤ（発光ダイオード）を設けて、制御回路１４は、受信モードに応じた表示を行う場合には、例えば図２０（Ａ）に示すように、フルコード受信モード時には緑色ＬＥＤを２秒間隔で点滅させ、秒同期受信モード時には橙色ダイオードを４秒間隔で点滅させ、受信できない場合には、赤色ＬＥＤを点滅させる。
【０１４６】
また、制御回路１４は、受信ソース（受信メディア）に応じてた表示を行う場合には、例えば図２０（Ｂ）に示すように、標準時刻電波信号を受信する場合には、緑色ＬＥＤを点灯させ、放送受信モード時には橙色ダイオードを点灯させ、受信できない場合には、非点灯させてもよい。
上述したように、受信モードや受信ソース（受信メディア）に応じた表示を行うことで、簡単な構成で受信モードや受信ソースをユーザに報知することができる。
【０１４７】
また、時刻表示手段は、上述した形態に限られるものではない。例えば時刻表示手段は液晶表示装置のみによる時刻表示であってもよい。また、輪列構成は上述した形態に限られるものではない。
【０１４８】
また、例えば制御回路１４は、例えば日本の標準電波として図６に示すような標準電波信号を長波受信回路１１Ｌが受信し、その標準時刻電波信号の立ち上がりエッジに基づいて、内部時計１４０１が計時する時刻情報のうち秒情報を修正したが、この形態に限られるものではない。
【０１４９】
例えば、日本ではなく米国やヨーロッパ等の標準電波送信局から送信している標準電波は、標準時刻の秒に同期して、立ち上がりまたは立下りエッジが同期した振幅変調が施されているが、これら各国の標準電波にも対応することができる。この際、制御回路１４は、秒情報受信モード時には、上述した形態で秒情報の修正を行うが、フルコード受信モード時には各国毎に規定された時刻コードに基づいて、時刻コードを復号して時刻修正を行う。
【０１５０】
また、上述した実施形態では、制御回路１４はメモリが記憶するプログラムを実行することにより本発明に係る処理手順を実現したが、この形態に限られるものではない。例えば制御回路１４はハードワイヤド（hard wired）により本発明に係る処理を実現してもよい。
【０１５１】
また、通常運針時には、指針をステップ運針や、連続運針、その他、所定単位時間の間に停止している時間と動いている時間やタイミングを任意に変えた運針を行ってもよい。
また、上述した制御回路１４の処理内容は、上述した形態に限られるものではない。本発明を実施できればよい。
【図面の簡単な説明】
【０１５２】
【図１】本発明に係る電波修正時計の一実施形態の機能ブロック図である。
【図２】図１に示した電波修正時計の正面図である。
【図３】図１に示した電波修正時計の構成図である。
【図４】図１に示した電波修正時計の断面図である。
【図５】本発明に係る制御回路における電波受信状態を説明するための図である。
【図６】標準時刻電波信号の時刻コードの一具体例を示す図である。
【図７】電波修正時計の一部である秒針を駆動する第１駆動系を示す平面図である。
【図８】電波修正時計の一部である分針および時針を駆動する第２駆動系を示す平面図である。
【図９】秒針を駆動する第１駆動系の一部をなす第１の５番車を示す平面図である。
【図１０】秒針を駆動する第１駆動系の一部をなす秒針車を示す平面図である。
【図１１】秒針を駆動する第１駆動系の一部をなす秒針車の他の例を示す平面図である。
【図１２】分針および時針を駆動する第２駆動系の一部をなす３番車を示す平面図である。
【図１３】分針および時針を駆動する第２駆動系の一部をなす分針車を示す平面図である。
【図１４】分針および時針を駆動する第２駆動系の一部をなす時針車を示す平面図である。
【図１５】分針パイプおよび時針パイプの先端部を示す端面図である。
【図１６】図１に示した電波修正時計の動作を説明するためのフローチャートである。
【図１７】図１に示した電波修正時計の指針位置検出処理の動作を示すフローチャートである。
【図１８】図１に示した電波修正時計の検出光の出力パターンを説明するための図である。
【図１９】本発明に係る電波修正時計の表示部の他の具体例を示す図である。
【図２０】本発明に係る電波修正時計の他の具体例を示す図である。
【符号の説明】
【０１５３】
１…電波修正時計、１１…電波受信系、１１Ｌ…長波受信回路、１１Ｒ…放送受信回路、１２…スイッチ群、１３…発振回路、１４…制御回路、１５…ドライブ回路、１６…発光素子、１７…バッファ回路、１８…ドライブ回路、１９…表示部、１００…時計本体部（機械機構：ムーブメント）、１１１…下ケース、１１２…上ケース、１１３…中板、１２０…第１駆動系、１２１…第１のモータ、１２２…第１の５番車、１２３…秒針車、１２４…分針車、１２６…６番車、１２７…７番車、１３０…第２駆動系、１３１…第２のモータ、１３２…第２の５番車、１３３…３番車、１３４…分針車、１３５…日の裏車、１３６…時針車、１４０…光検出センサ、１４２…発光素子、１４３…回路基板、１４４…受光素子、１５０…手動修正系、１５１…手動修正軸、１４０１…内部時計、１４０２…メモリ、ＳＷ１２１…時刻修正スイッチ、ＳＷ１２２…モード選択スイッチ。
【図１】
2006038580.tif 000003
【図２】
2006038580.tif 000004
【図３】
2006038580.tif 000005
【図４】
2006038580.tif 000006
【図５】
2006038580.tif 000007
【図６】
2006038580.tif 000008
【図７】
2006038580.tif 000009
【図８】
2006038580.tif 000010
【図９】
2006038580.tif 000011
【図１０】
2006038580.tif 000012
【図１１】
2006038580.tif 000013
【図１２】
2006038580.tif 000014
【図１３】
2006038580.tif 000015
【図１４】
2006038580.tif 000016
【図１５】
2006038580.tif 000017
【図１６】
2006038580.tif 000018
【図１７】
2006038580.tif 000019
【図１８】
2006038580.tif 000020
【図１９】
2006038580.tif 000021
【図２０】
2006038580.tif 000022